【手続補正書】
【提出日】令和1年5月22日(2019.5.22)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のブロードキャスト信号を受信することと、
第１のカバレージ拡張（ＣＥ）レベルを使用して前記第１のブロードキャスト信号の少なくとも一部分の復号に成功したかどうかを決定することと、
前記第１のＣＥレベルを使用して前記第１のブロードキャスト信号の少なくとも一部分の復号に成功した場合、
後続のブロードキャスト信号を受信することと、
前記第１のＣＥレベルを使用して前記後続のブロードキャスト信号の少なくとも一部分の復号に成功したかどうかを決定することと
前記第１のカバレージ拡張（ＣＥ）レベルを使用して前記後続のブロードキャスト信号の復号に成功したかどうかに少なくとも部分的に基づいて、前記第１のＣＥレベルまたは第２のＣＥレベルに従って通信することと
を実行することと
を備える、方法。
【請求項２】
前記第１のＣＥレベルを使用して前記第１のブロードキャスト信号の復号に成功しなかったと決定することと、
前記第２のＣＥレベルを使用して前記第１のブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
をさらに備える、請求項１に記載の方法。
【請求項３】
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信は、前記第１のＣＥレベルに従う、と
をさらに備える、請求項１に記載の方法。
【請求項４】
前記第１のＣＥレベルまたは前記第２のＣＥレベルに従って通信することは、
前記第１のＣＥレベルまたは前記第２のＣＥレベルに関連するリソース上でランダムアクセスチャネル（ＲＡＣＨ）メッセージを送信することを備える、
請求項１に記載の方法。
【請求項５】
第１のＣＥレベルを使用して前記第１のブロードキャスト信号の少なくとも一部分の復号に成功したかどうかを決定することは、
前記第１のＣＥレベルを使用して前記第１のブロードキャスト信号の前記一部分をテスト復号することを備える、
請求項１に記載の方法。
【請求項６】
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
をさらに備え、特に、
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
をさらに備える、請求項１に記載の方法。
【請求項７】
前記第１のブロードキャスト信号は、物理ブロードキャストチャネル（ＰＢＣＨ）を備える、請求項１に記載の方法、または
前記第１のＣＥレベルおよび前記第２のＣＥレベルは、ＣＥレベルのセットから選択され、前記セットの各ＣＥレベルは、異なるカバレージ拡張値に対応する、請求項１に記載の方法、または
前記第１のブロードキャスト信号は、第３のＣＥレベルに従って送信され、前記第１のＣＥレベルは、前記第３のカバレージ拡張（ＣＥ）レベルよりも小さいカバレージ拡張を備える、
請求項１に記載の方法。
【請求項８】
ワイヤレス通信のための装置であって、
第１のブロードキャスト信号を受信するための手段と、
第１のカバレージ拡張（ＣＥ）レベルを使用して前記第１のブロードキャスト信号の少なくとも一部分の復号に成功したかどうかを決定するための手段と、
後続のブロードキャスト信号を受信するための手段と、
前記第１のＣＥレベルを使用して前記後続のブロードキャスト信号の少なくとも一部分の復号に成功したかどうかを決定するための手段と、
前記第１のカバレージ拡張（ＣＥ）レベルを使用して前記後続のブロードキャスト信号の復号に成功したかどうかに少なくとも部分的に基づいて、前記第１のＣＥレベルまたは第２のＣＥレベルに従って通信するための手段と
を備え、前記装置は、前記後続のブロードキャスト信号を受信することと、前記第１のＣＥレベルを使用して前記第１のブロードキャスト信号の少なくとも一部分の復号に成功したかどうかを決定することと、第１のカバレージ拡張（ＣＥ）レベルを使用して前記第１のブロードキャスト信号の少なくとも一部分の復号に成功した場合、通信することとを実行するように適応される、装置。
【請求項９】
前記第１のＣＥレベルを使用して前記第１のブロードキャスト信号の復号に成功しなかったと決定するための手段と、
前記第２のＣＥレベルを使用して前記第１のブロードキャスト信号の少なくとも前記一部分を復号するための手段、ここにおいて、前記第２のＣＥレベルは、前記第１のＣＥレベルよりも大きいカバレージ拡張を備え、前記通信するための手段は、前記第２のＣＥレベルに従って通信するように動作可能である、と
をさらに備える、請求項８に記載の装置。
【請求項１０】
前記第１のＣＥレベルを使用して復号に成功したブロードキャスト信号の数がしきい値を超えると決定するための手段と、
前記第１のＣＥレベルを動作ＣＥレベルとして宣言するための手段、ここにおいて、前記通信は、前記第１のＣＥレベルに従う、と
をさらに備える、請求項８に記載の装置。
【請求項１１】
前記第１のＣＥレベルまたは前記第２のＣＥレベルに従って前記通信するための手段は、
前記第１のＣＥレベルまたは前記第２のＣＥレベルに関連するリソース上でランダムアクセスチャネル（ＲＡＣＨ）メッセージを送信するための手段を備える、
請求項８に記載の装置。
【請求項１２】
第１のＣＥレベルを使用して前記第１のブロードキャスト信号の少なくとも一部分の復号に成功したかどうかを前記決定するための手段は、
前記第１のＣＥレベルを使用して前記第１のブロードキャスト信号の前記一部分をテスト復号するための手段を備える、
請求項８に記載の装置。
【請求項１３】
基準信号受信電力（ＲＳＲＰ）に少なくとも部分的に基づいてダウンリンク信号経路損失を測定するための手段と、
前記測定された経路損失に少なくとも部分的に基づいて前記第１のＣＥレベルを選択するための手段と
をさらに備え、特に、
前記第１のＣＥレベルを使用して前記ブロードキャスト信号の復号に成功しなかったと決定するための手段と、
前記ブロードキャスト信号の復号に成功しなかったという前記決定に少なくとも部分的に基づいて、前記第２のＣＥレベルを選択するための手段と
をさらに備える、請求項８に記載の装置。
【請求項１４】
前記ブロードキャスト信号は、物理ブロードキャストチャネル（ＰＢＣＨ）を備える、請求項８に記載の装置、または
前記第１のＣＥレベルおよび前記第２のＣＥレベルはＣＥレベルのセットから選択され、前記セットの各ＣＥレベルは、異なるカバレージ拡張値に対応する、請求項８に記載の装置、または
前記ブロードキャスト信号は、第３のＣＥレベルに従って送信され、前記第１のＣＥレベルは、前記第３のカバレージ拡張（ＣＥ）レベルよりも小さいカバレージ拡張を備える、
請求項８に記載の装置。
【請求項１５】
コンピュータ上で実行されると、請求項１乃至７のいずれか１項に従う方法を実行する命令を備える、ワイヤレス通信のためのコードを備える、コンピュータプログラム。
【手続補正２】
【補正対象書類名】明細書
【補正対象項目名】０１０９
【補正方法】変更
【補正の内容】
【０１０９】
[0121]本明細書の説明は、当業者が本開示を作成または使用することができるように与えられた。本開示への様々な変更は当業者には容易に明らかとなり、本明細書で定義した一般原理は、本開示の範囲から逸脱することなく他の変形形態に適用され得る。したがって、本開示は、本明細書で説明された例および設計に限定されるべきでなく、本明細書で開示された原理および新規の特徴に合致する最も広い範囲を与えられるべきである。
以下に、本願出願の当初の特許請求の範囲に記載された発明を付記する。
［Ｃ１］
ワイヤレス通信の方法であって、
ブロードキャスト信号を受信することと、
第１のカバレージ拡張（ＣＥ）レベルを使用して前記ブロードキャスト信号の少なくとも一部分の復号に成功したかどうかを決定することと、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信することと
を備える、方法。
［Ｃ２］
前記第１のＣＥレベルを使用して前記ブロードキャスト信号の復号に成功しなかったと決定することと、
前記第２のＣＥレベルを使用して前記ブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
をさらに備える、［Ｃ１］に記載の方法。
［Ｃ３］
前記第１のＣＥレベルを使用して前記ブロードキャスト信号の復号に成功したと決定することと、
後続のブロードキャスト信号を受信することと、
前記第１のＣＥレベルを使用して前記後続のブロードキャスト信号の少なくとも一部分の復号に成功したかどうかを決定すること、ここにおいて、前記第１のＣＥレベルまたは前記第２のＣＥレベルに従う前記通信は、前記第１のＣＥレベルを使用して前記後続のブロードキャスト信号の復号に成功したかどうかに少なくとも部分的に基づく、と
をさらに備える、［Ｃ１］に記載の方法。
［Ｃ４］
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信は、前記第１のＣＥレベルに従う、と
をさらに備える、［Ｃ１］に記載の方法。
［Ｃ５］
前記第１のＣＥレベルまたは前記第２のＣＥレベルに従って通信することは、
前記第１のＣＥレベルまたは前記第２のＣＥレベルに関連するリソース上でランダムアクセスチャネル（ＲＡＣＨ）メッセージを送信することを備える、
［Ｃ１］に記載の方法。
［Ｃ６］
第１のＣＥレベルを使用して前記ブロードキャスト信号の少なくとも一部分の復号に成功したかどうかを決定することは、
前記第１のＣＥレベルを使用して前記ブロードキャスト信号の前記一部分をテスト復号することを備える、
［Ｃ１］に記載の方法。
［Ｃ７］
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
をさらに備える、［Ｃ１］に記載の方法。
［Ｃ８］
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
をさらに備える、［Ｃ７］に記載の方法。
［Ｃ９］
前記ブロードキャスト信号は、物理ブロードキャストチャネル（ＰＢＣＨ）を備える、
［Ｃ１］に記載の方法。
［Ｃ１０］
前記第１のＣＥレベルおよび前記第２のＣＥレベルは、ＣＥレベルのセットから選択され、前記セットの各ＣＥレベルは、異なるカバレージ拡張値に対応する、
［Ｃ１］に記載の方法。
［Ｃ１１］
前記ブロードキャスト信号は、第３のＣＥレベルに従って送信され、前記第１のＣＥレベルは、前記第３のカバレージ拡張（ＣＥ）レベルよりも小さいカバレージ拡張を備える、
［Ｃ１］に記載の方法。
［Ｃ１２］
ワイヤレス通信のための装置であって、
ブロードキャスト信号を受信するための手段と、
第１のカバレージ拡張（ＣＥ）レベルを使用して前記ブロードキャスト信号の少なくとも一部分の復号に成功したかどうかを決定するための手段と、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信するための手段と
を備える、装置。
［Ｃ１３］
前記第１のＣＥレベルを使用して前記ブロードキャスト信号の復号に成功しなかったと決定するための手段と、
前記第２のＣＥレベルを使用して前記ブロードキャスト信号の少なくとも前記一部分を復号するための手段、ここにおいて、前記第２のＣＥレベルは、前記第１のＣＥレベルよりも大きいカバレージ拡張を備え、前記通信するための手段は、前記第２のＣＥレベルに従って通信するように動作可能である、と
をさらに備える、［Ｃ１２］に記載の装置。
［Ｃ１４］
前記第１のＣＥレベルを使用して前記ブロードキャスト信号の復号に成功したと決定するための手段と、
後続のブロードキャスト信号を受信するための手段と、
前記第１のＣＥレベルを使用して前記後続のブロードキャスト信号の少なくとも一部分の復号に成功したかどうかを決定するための手段、ここにおいて、前記通信するための手段は、前記第１のＣＥレベルを使用して前記後続のブロードキャスト信号の復号に成功したかどうかに少なくとも部分的に基づいて、前記第１のＣＥレベルまたは前記第２のＣＥレベルに従って通信するように動作可能である、と
をさらに備える、［Ｃ１２］に記載の装置。
［Ｃ１５］
前記第１のＣＥレベルを使用して復号に成功したブロードキャスト信号の数がしきい値を超えると決定するための手段と、
前記第１のＣＥレベルを動作ＣＥレベルとして宣言するための手段、ここにおいて、前記通信は、前記第１のＣＥレベルに従う、と
をさらに備える、［Ｃ１２］に記載の装置。
［Ｃ１６］
前記第１のＣＥレベルまたは前記第２のＣＥレベルに従って前記通信するための手段は、
前記第１のＣＥレベルまたは前記第２のＣＥレベルに関連するリソース上でランダムアクセスチャネル（ＲＡＣＨ）メッセージを送信するための手段を備える、
［Ｃ１２］に記載の装置。
［Ｃ１７］
第１のＣＥレベルを使用して前記ブロードキャスト信号の少なくとも一部分の復号に成功したかどうかを前記決定するための手段は、
前記第１のＣＥレベルを使用して前記ブロードキャスト信号の前記一部分をテスト復号するための手段を備える、
［Ｃ１２］に記載の装置。
［Ｃ１８］
基準信号受信電力（ＲＳＲＰ）に少なくとも部分的に基づいてダウンリンク信号経路損失を測定するための手段と、
前記測定された経路損失に少なくとも部分的に基づいて前記第１のＣＥレベルを選択するための手段と
をさらに備える、［Ｃ１２］に記載の装置。
［Ｃ１９］
前記第１のＣＥレベルを使用して前記ブロードキャスト信号の復号に成功しなかったと決定するための手段と、
前記ブロードキャスト信号の復号に成功しなかったという前記決定に少なくとも部分的に基づいて、前記第２のＣＥレベルを選択するための手段と
をさらに備える、［Ｃ１８］に記載の装置。
［Ｃ２０］
前記ブロードキャスト信号は、物理ブロードキャストチャネル（ＰＢＣＨ）を備える、
［Ｃ１２］に記載の装置。
［Ｃ２１］
前記第１のＣＥレベルおよび前記第２のＣＥレベルはＣＥレベルのセットから選択され、前記セットの各ＣＥレベルは、異なるカバレージ拡張値に対応する、
［Ｃ１２］に記載の装置。
［Ｃ２２］
前記ブロードキャスト信号は、第３のＣＥレベルに従って送信され、前記第１のＣＥレベルは、前記第３のカバレージ拡張（ＣＥ）レベルよりも小さいカバレージ拡張を備える、
［Ｃ１２］に記載の装置。
［Ｃ２３］
ワイヤレス通信のための装置であって、
プロセッサと、
前記プロセッサと電子通信しているメモリと、
前記メモリに記憶された命令と
を備え、前記命令は、前記プロセッサによって実行されたとき、前記装置に、
ブロードキャスト信号を受信することと、
第１のカバレージ拡張（ＣＥ）レベルを使用して前記ブロードキャスト信号の少なくとも一部分の復号に成功したかどうかを決定することと、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信することと
を行わせるように動作可能である、装置。
［Ｃ２４］
前記命令は、前記装置に、
前記第１のＣＥレベルを使用して前記ブロードキャスト信号の復号に成功しなかったと決定することと、
前記第２のＣＥレベルを使用して前記ブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
を行わせるように動作可能である、［Ｃ２３］に記載の装置。
［Ｃ２５］
前記命令は、前記装置に、
前記第１のＣＥレベルを使用して前記ブロードキャスト信号の復号に成功したと決定することと、
後続のブロードキャスト信号を受信することと、
前記第１のＣＥレベルを使用して前記後続のブロードキャスト信号の少なくとも一部分の復号に成功したかどうかを決定すること、ここにおいて、前記第１のＣＥレベルまたは前記第２のＣＥレベルに従う前記通信は、前記第１のＣＥレベルを使用して前記後続のブロードキャスト信号の復号に成功したかどうかに少なくとも部分的に基づく、と
を行わせるように動作可能である、［Ｃ２３］に記載の装置。
［Ｃ２６］
前記命令は、前記装置に、
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信は、前記第１のＣＥレベルに従う、と
を行わせるように動作可能である、［Ｃ２３］に記載の装置。
［Ｃ２７］
前記命令は、前記装置に、
前記第１のＣＥレベルまたは前記第２のＣＥレベルに関連するリソース上でランダムアクセスチャネル（ＲＡＣＨ）メッセージを送信することを行わせるように動作可能である、
［Ｃ２３］に記載の装置。
［Ｃ２８］
前記命令は、前記装置に、
前記第１のＣＥレベルを使用して前記ブロードキャスト信号の前記一部分をテスト復号することを行わせるように動作可能である、
［Ｃ２３］に記載の装置。
［Ｃ２９］
前記命令は、前記装置に、
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
を行わせるように動作可能である、［Ｃ２３］に記載の装置。
［Ｃ３０］
前記命令は、前記装置に、
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
を行わせるように動作可能である、［Ｃ２９］に記載の装置。
［Ｃ３１］
ワイヤレス通信のためのコードを記憶する非一時的コンピュータ可読媒体であって、前記コードは、
ブロードキャスト信号を受信することと、
第１のカバレージ拡張（ＣＥ）レベルを使用して前記ブロードキャスト信号の少なくとも一部分の復号に成功したかどうかを決定することと、
前記第１のカバレージ拡張（ＣＥ）レベルを使用して前記ブロードキャスト信号の復号に成功したかどうかに少なくとも部分的に基づいて、前記第１のＣＥレベルまたは第２のＣＥレベルに従って通信することと
を行うために実行可能な命令を備える、非一時的コンピュータ可読媒体。
［Ｃ３２］
前記命令は、
前記第１のＣＥレベルを使用して前記ブロードキャスト信号の復号に成功しなかったと決定することと、
前記第２のＣＥレベルを使用して前記ブロードキャスト信号の少なくとも前記一部分を復号すること、ここにおいて、前記第２のＣＥレベルは、前記第１のＣＥレベルよりも大きいカバレージ拡張を備え、前記通信は、前記第２のＣＥレベルに従う、と
を行うために実行可能である、［Ｃ３１］に記載の非一時的コンピュータ可読媒体。
［Ｃ３３］
前記命令は、
前記第１のＣＥレベルを使用して前記ブロードキャスト信号の復号に成功したと決定することと、
後続のブロードキャスト信号を受信することと、
前記第１のＣＥレベルを使用して前記後続のブロードキャスト信号の少なくとも一部分の復号に成功したかどうかを決定すること、ここにおいて、前記第１のＣＥレベルまたは前記第２のＣＥレベルに従う前記通信は、前記第１のＣＥレベルを使用して前記後続のブロードキャスト信号の復号に成功したかどうかに少なくとも部分的に基づく、と
を行うために実行可能である、［Ｃ３１］に記載の非一時的コンピュータ可読媒体。
［Ｃ３４］
前記命令は、
前記第１のＣＥレベルを使用して復号に成功したブロードキャスト信号の数がしきい値を超えると決定することと、
前記第１のＣＥレベルを動作ＣＥレベルとして宣言すること、ここにおいて、前記通信が前記第１のＣＥレベルに従う、と
を行うために実行可能である、［Ｃ３１］に記載の非一時的コンピュータ可読媒体。
［Ｃ３５］
前記命令は、
前記第１のＣＥレベルまたは前記第２のＣＥレベルに関連するリソース上でランダムアクセスチャネル（ＲＡＣＨ）メッセージを送信することを行うために実行可能である、
［Ｃ３１］に記載の非一時的コンピュータ可読媒体。
［Ｃ３６］
前記命令は、
前記第１のＣＥレベルを使用して前記ブロードキャスト信号の前記一部分をテスト復号することを行うために実行可能である、
［Ｃ３１］に記載の非一時的コンピュータ可読媒体。
［Ｃ３７］
前記命令は、
基準信号受信電力（ＲＳＲＰ）に少なくとも部分的に基づいてダウンリンク信号経路損失を測定することと、
前記測定された経路損失に少なくとも部分的に基づいて前記第１のＣＥレベルを選択することと
を行うために実行可能である、［Ｃ３１］に記載の非一時的コンピュータ可読媒体。
［Ｃ３８］
前記命令は、
前記第１のＣＥレベルを使用して前記ブロードキャスト信号の復号に成功しなかったと決定することと、
前記ブロードキャスト信号の復号に成功しなかったという前記決定に少なくとも部分的に基づいて、前記第２のＣＥレベルを選択することと
を行うために実行可能である、［Ｃ３７］に記載の非一時的コンピュータ可読媒体。